(57)【要約】      （修正有）【課題】筆記具・喫煙具などの小物を合わせて効率的に収納し、効率的に使用でき、その結果、作業時間が短縮されるポケット脱着式小物入れを提供する。【解決手段】固定用受け穴（上）２と固定用受け穴（下）３の２つ以上の穴を備え、固定用受け穴（上）２から通し、固定用受け穴（下）３から抜けられることで、物品を引っ掛けられる構造を持った小物ポケット収納ベース１と、小物ポケット収納ベース１に引っ掛けて固定できる小物ケース側固定部６を備えた小物を収納する機能を持った小物ポケット５で主に構成されており、小物ポケット収納ベース１は小物ポケット５を１個以上２０個以下の装着が可能であり、小物ポケット収納ベース１に開けられた穴２に小物ポケット５の一部である小物ポケット側の固定部６を一方から通し、他方の穴に引っ掛けるように通すことで固定し、小物ポケット収納ベース１と小物ポケット５を安定的に固定しする構造を持ち、小物ポケット収納ベース１から容易に小物ポケット５を脱着可能な構造を持つ。【選択図】図３
0003217031.tif 000002
【実用新案登録請求の範囲】
【請求項１】
本考案は、固定用受け穴（上）（２）と固定用受け穴（下）（３）のような２つ以上の穴を備え、
一方の穴から通し他方の穴から抜けられることで、物品を引っ掛けられる構造を持った小物ポケット収納ベース（１）と、
小物ケース収納ベース（１）に引っ掛けて固定できる小物ケース側固定部（６）を備えた小物を収納する機能を持った小物ポケット（５）で主に構成されており、
小物ポケット収納ベース（１）は小物ポケット（５）を１個以上２０個以下の装着が可能であり、
小物ポケット収納ベース（１）に開けられた穴（２）に小物ポケット（５）の一部である小物ポケット側の固定部（６）を一方から通し、
他方の穴に引っ掛けるように通すことで固定し、
小物ポケット収納ベース（１）と小物ポケット（５）を安定的に固定しする構造を持ち、
小物ポケット収納ベース（１）から容易に小物ポケット（５）を脱着可能な構造を持つ小物収納具である。
【請求項２】
本考案は、小物ポケット収納ベース（１）、小物ポケット（５）からなり、
小物ポケット収納ベース（１）は小物ポケット（５）を１個以上２０個以下の装着が可能であり、
小物ポケット（５）は様々な用具を入れる為に、適した形状と大きさをした様々な種類が存在しており、
小物ポケット収納ベース（１）と小物ポケット（５）の脱着の方法は、
マジックテープ、磁力、ボタン、ジッパーのいづれかもしくは、
それらの組み合わせを用いることで、容易に小物ポケット収納ベース（１）から小物ポケット（５）脱着が可能な構造を持つ小物入れである。
【請求項３】
本考案は、一方から通し他方から抜ける構造で、物品を掛けられる帯状フック受（８）を備えた小物ポケット収納ベース（１）と、
小物ケース収納ベース（１）に引っ掛けて固定できる小物ケース側固定部（６）を備えた小物を収納する機能を持った小物ポケット（５）で主に構成されており、
小物ポケット（５）は様々な用具を入れる為に、適した形状と大きさをした様々な種類が存在しており、
小物ポケット収納ベース（１）は小物ポケット（５）を１個以上２０個以下の装着が可能であり、
小物ポケット収納ベース（１）と帯状フック（８）の間に出来た帯状フック受隙間（９）に小物ポケット（５）の一部である小物ポケット側の固定部（６）を一方から通し、
他方から引っ掛けるように通すことで固定し、
小物ポケット収納ベース（１）と小物ポケット（５）を安定的に固定しする構造を持ち、
小物ポケット収納ベース（１）から容易に小物ポケット（５）を脱着可能な構造を持つ小物収納具である。
【考案の詳細な説明】
【技術分野】
【０００１】小物入れ
【背景技術】
【０００２】通常の小物入れは筆記具入れ、工具入れ、化粧ポーチなど用途ごとに、バラバラである。
【考案の概要】
【考案が解決しようとする課題】
【０００３】課題として、以下のような状況を挙げる。Ａ氏は、某会社内で営業職に就いている。
Ａ氏は職場の物流倉庫で、仕事をする場合、ボールペンとサインペン、カッターナイフを必要とする。
また、煙草も吸う為、喫煙具を持ち歩きたいと考えている。
小物入れは筆記具入れ、工具入れ、化粧ポーチなど用途ごとに、バラバラである。
その為、筆記用具、カッター入れ、喫煙具入れなど複数の収納具を持つ必要がある。
また、ボールペンやサインペン、喫煙具が効率的に収納されていない為、
時に紛失し探す時間が掛かっている。
それらを同時に効率よく収納し、更に出し入れが容易であれば、作業効率が上がると考えている。
【課題を解決するための手段】
【０００４】本考案は、これらの課題を以下の道具を用いることで解決する。
筆記具や喫煙具などの小物を最適な形状と大きさのポケットに収納し、
好みのポケットを選択し、小物入れに自由に装着出来ることで、各個人で最も最適化された収納具を持つことが出来る。
各個人で自由にポケットを組み合わせて使用できる自分だけの小物入れの提案である。
（小物ポケット収納ベース）（小物入れポケット）の２つで構成される（ポケット脱着式小物入れ）を提案する。
持ち歩きたい小物を（小物入れ）に収納し、（小物ポケット収納ベース）に装着する。
（小物ポケット収納ベース）は（小物入れポケット）を２つ以上着脱が可能になっており、
使用者は、自身の好みに応じた（小物入れポケット）に筆記具・喫煙具などの小物をいれ（小物ポケット収納ベース）に装着することにより、
必要最低限の小物を持ち歩くことが出来る。
本考案は、これらの構造を持った（ポケット脱着式小物入れ）である。
【考案の効果】
【０００５】本考案の（ポケット脱着式小物入れ）を使用することにより、
筆記具・喫煙具などの小物を合わせて効率的に収納し、
効率的に使用できる。その結果、作業時間が短縮される。
【図面の簡単な説明】
【０００６】
【図１】小物ポケット収納ベース
【図２】小物ポケット
【図３】小物ポケット収納ベースと小物ポケット
【図４】小物ポケット収納ベースと小物ポケット
【考案を実施するための形態】
【０００７】小物ポケット収納ベース（１）に小物ポケット（５）を複数装着して使用する。
小物ポケット（５）を小物ポケット収納ベース（１）に装着する場合、以下のように行う。
小物ポケット（５）の小物ポケット固定部（６）を固定用受け穴（上）（２）から通し、
固定用受け穴（下）（３）から通した上で、固定用ボタン（４）で固定する。
このように小物ポケット収納ベース（１）から小物ポケット（５）が脱着が容易に可能な構造をもつ。
また、釣り下げ具（７）を用いることで釣り下げが容易に可能となる。
このような構造を持つ小物ケースである。
小物ポケット収納ベース（１）に小物ポケット（５）を複数装着して使用する。
装着の方法は上記に限らず、ボタン、マジックテープ、ジッパー、磁石などを用いる。
このように小物ポケット収納ベース（１）から小物ポケット（５）が脱着が容易に可能な構造をもつ。
また、釣り下げ具（７）を用いることで釣り下げが容易に可能となる。
このような構造を持つ小物ケースである。
【符号の説明】
【０００８】１．小物ポケット収納ベース
２．固定用受け穴（上）
３．固定用受け穴（下）
４．固定用ボタン
５．小物ポケット
６．小物ポケット側固定部
７．釣り下げ具
８．帯状フック受
９．帯状フック受隙間
【図１】
0003217031.tif 000003
【図２】
0003217031.tif 000004
【図３】
0003217031.tif 000005
【図４】
0003217031.tif 000006
【手続補正書】
【提出日】平成30年4月25日(2018.4.25)
【手続補正１】
【補正対象書類名】実用新案登録請求の範囲
【補正対象項目名】全文
【補正方法】変更
【補正の内容】
【実用新案登録請求の範囲】
【請求項１】
固定用受け穴（上）（２）と固定用受け穴（下）（３）の２つ以上の穴を備え、
固定用受け穴（上）（２）から通し、固定用受け穴（下）（３）から抜けられることで、
物品を引っ掛けられる構造を持った小物ポケット収納ベース（１）と、
小物ポケット収納ベース（１）に引っ掛けて固定できる小物ケース側固定部（６）を
備えた小物を収納する機能を持った小物ポケット（５）で主に構成されており、
小物ポケット収納ベース（１）は小物ポケット（５）を１個以上２０個以下の装着が可能であり、
小物ポケット収納ベース（１）に開けられた穴（２）に
小物ポケット（５）の一部である小物ポケット側の固定部（６）を一方から通し、
他方の穴に引っ掛けるように通すことで固定し、
小物ポケット収納ベース（１）と小物ポケット（５）を安定的に固定しする構造を持ち、
小物ポケット収納ベース（１）から容易に小物ポケット（５）を脱着可能な構造を持つ小物収納具。
【請求項２】
小物ポケット収納ベース（１）、小物ポケット（５）からなり、
小物ポケット収納ベース（１）は小物ポケット（５）を１個以上２０個以下の装着が可能であり、
小物ポケット（５）は様々な用具を入れる為に、適した形状と大きさをした様々な種類が存在しており、
小物ポケット収納ベース（１）と小物ポケット（５）の脱着の方法は、
面ファスナー、磁力、ボタン、ジッパーのいづれかもしくは、
それらの組み合わせを用いることで、容易に小物ポケット収納ベース（１）から
小物ポケット（５）脱着が可能な構造を持つ小物入れ。
【請求項３】
固定用受け穴（上）（２）から通し、固定用受け穴（下）（３）から抜けられることで、物品を掛けられる
帯状フック（８）を備えた小物ポケット収納ベース（１）と、
小物ポケット収納ベース（１）に引っ掛けて固定できる小物ケース側固定部（６）を
備えた小物を収納する機能を持った小物ポケット（５）で主に構成されており、
小物ポケット（５）は様々な用具を入れる為に、適した形状と大きさをした様々な種類が存在しており、
小物ポケット収納ベース（１）は小物ポケット（５）を１個以上２０個以下の装着が可能であり、
小物ポケット収納ベース（１）と帯状フック（８）の間に出来た帯状フック受隙間（９）に
小物ポケット（５）の一部である小物ポケット側の固定部（６）を一方から通し、
他方から引っ掛けるように通すことで固定し、
小物ポケット収納ベース（１）と小物ポケット（５）を安定的に固定しする構造を持ち、
小物ポケット収納ベース（１）から容易に小物ポケット（５）を脱着可能な構造を持つ小物収納具。